(57)【要約】      （修正有）【課題】非ロック状態で通話して、所定時間経過後に通話を終了した状態であっても、ロック解除の手間を必要としない、使い勝手を向上させた携帯電話を提供する。【解決手段】画面を表示するディスプレイを備えた携帯電話において、所定時間が経過するとディスプレイにロック画面を表示されてＳ１１、ロック画面においてロックが解除された状態で通話を開始したらＳ１６、所定時間が経過しても、ディスプレイにロック画面が表示されないＳ１７。【選択図】図３
2017139519.tif 000002
【特許請求の範囲】
【請求項１】
画面を表示するディスプレイを備え、
所定時間が経過すると前記ディスプレイにロック画面を表示する携帯電話であって、
前記ロック画面においてロックが解除された状態で通話が開始したら、前記所定時間が経過しても、前記ディスプレイにロック画面を表示しない、携帯電話。
【請求項２】
前記ロック画面においてロックが解除された状態で着信が発生し、当該着信に応じた通話が開始したら、前記所定時間が経過しても、前記ディスプレイにロック画面を表示しない、請求項１に記載の携帯電話。
【請求項３】
前記所定時間が経過した時に前記ディスプレイの画面がオフになっている場合、当該ディスプレイの画面がオンになる時にロック画面を表示する、請求項１又は２に記載の携帯電話。
【請求項４】
画面を表示するディスプレイを備え、
前記ディスプレイの画面がオフになった後に当該ディスプレイの画面がオンになると、前記ディスプレイにロック画面を表示する携帯電話であって、
前記ロック画面においてロックが解除された状態で通話が開始し、当該通話中に前記ディスプレイの画面がオフになった後に、当該ディスプレイの画面がオンになると、前記ディスプレイにロック画面を表示しない、携帯電話。
【請求項５】
前記ロック画面においてロックが解除された状態で着信が発生し、当該着信に応じた通話が開始し、当該通話中に前記ディスプレイの画面がオフになった後に、当該ディスプレイの画面がオンになると、前記ディスプレイにロック画面を表示しない、請求項４に記載の携帯電話。
【請求項６】
近接センサを備え、
前記近接センサが検出する近接の度合いに基づいて、前記ディスプレイの画面をオン又はオフにする、請求項４又は５に記載の携帯電話。
【請求項７】
前記ディスプレイの画面がオン又はオフになる時、前記ディスプレイにおける表示及び前記ディスプレイのバックライトの少なくとも一方をオン又はオフにする、請求項２から６のいずれかに記載の携帯電話。
【発明の詳細な説明】
【技術分野】
【０００１】
本発明は、携帯電話に関する。より詳細には、本発明は、例えばスマートフォン又はフィーチャーフォンのような携帯電話に関する。
【背景技術】
【０００２】
現在販売されているスマートフォンのような携帯電話は、電源をオンにした時など、タッチパネルで構成される画面上にロック画面が表示され、所定の操作以外の操作が無効化される（ロック状態）仕様のものが多い（例えば特許文献１参照）。また、フィーチャーフォンのような携帯電話においても、例えば電源投入時又は折りたたみ状態から開いた時などに、セキュリティ又は誤操作防止などの観点から、ロック画面を表示する仕様を採用するものがある。このようなロック画面においても、一般的に、限られた所定の操作以外の操作を無効化する（ロック状態）ことが多い。ロック画面を採用している携帯電話においては、ロック状態において、限定された所定の操作によりロックを解除する（非ロック状態）ことにより、通常の操作を行うことができるようになる。
【先行技術文献】
【特許文献】
【０００３】
【特許文献１】特開２０１４−６７２４７号公報
【発明の概要】
【発明が解決しようとする課題】
【０００４】
上述のような携帯電話において、通話を開始した時には非ロック状態であったのに、通話を終了した後にロック画面が表示されると、当該ロック状態を解除する手間が発生するため、煩わしい。
【０００５】
本発明の目的は、使い勝手を向上させた携帯電話を提供することにある。
【課題を解決するための手段】
【０００６】
本発明に係る携帯電話は、
画面を表示するディスプレイを備え、
所定時間が経過すると前記ディスプレイにロック画面を表示する携帯電話であって、
前記ロック画面においてロックが解除された状態で通話が開始したら、前記所定時間が経過しても、前記ディスプレイにロック画面を表示しないことを特徴とする。
【０００７】
また、本発明に係る携帯電話は、
画面を表示するディスプレイを備え、
前記ディスプレイの画面がオフになった後に当該ディスプレイの画面がオンになると、前記ディスプレイにロック画面を表示する携帯電話であって、
前記ロック画面においてロックが解除された状態で通話が開始し、当該通話中に前記ディスプレイの画面がオフになった後に、当該ディスプレイの画面がオンになると、前記ディスプレイにロック画面を表示しないことを特徴とする。
【発明の効果】
【０００８】
本発明の実施形態によれば、携帯電話の使い勝手を向上させることができる。
【図面の簡単な説明】
【０００９】
【図１】本発明の第１実施形態に係る携帯電話の外観を示す図である。
【図２】本発明の第１実施形態に係る携帯電話の概略構成を示すブロック図である。
【図３】本発明の第１実施形態に係る携帯電話の動作を説明するフローチャートである。
【図４】本発明の第１実施形態に係る携帯電話の動作を説明する図である。
【図５】本発明の第２実施形態に係る携帯電話の外観を示す図である。
【図６】本発明の第２実施形態に係る携帯電話の概略構成を示すブロック図である。
【図７】本発明の第２実施形態に係る携帯電話の動作を説明するフローチャートである。
【発明を実施するための形態】
【００１０】
以下、本発明の実施形態について、図面を参照して説明する。
【００１１】
（第１実施形態）
以下説明する発明の第１実施形態においては、フィーチャーフォンタイプの携帯電話の一例として、いわゆる折りたたみ式（フリップ型又はクラムシェル型）のフィーチャーフォンを想定して説明する。しかしながら、本発明の実施形態は、折りたたみ式の携帯電話に限定されるものではなく、キーボードがスライドして現れるスライド式、又はバー型（ストレート式）などのようなフィーチャーフォンとしてもよい。
【００１２】
図１は、本発明の第１実施形態に係る携帯電話の外観を示す図である。
【００１３】
図１に示すように、本実施形態に係るフィーチャーフォンタイプの携帯電話１は、上部筐体３と下部筐体４とが、ヒンジ部５によって接続された折りたたみ式の携帯電話である。携帯電話１においては、上部筐体３と下部筐体４とが、例えばヒンジ部５を谷として折りたたみ可能に構成される。携帯電話１の外観構成については、従来良く知られた折りたたみ式フィーチャーフォンタイプの携帯電話と同様の構成とすることができるため、より詳細な説明は省略する。
【００１４】
図１に示すように、携帯電話１は、上部筐体３側において、スピーカ６と、ディスプレイ１０とを備えている。また、携帯電話１は、下部筐体４側において、マイク８と、各種の物理キーで構成される物理キー部（キーボード）１２を備えている。スピーカ６は、通話の際にユーザの耳に音声を出力し、マイク８は、通話の際にユーザの口から発される音声を取得する。スピーカ６及びマイク８は、一般的な携帯電話に採用されるものと同様のものとし得るため、より詳細な説明は省略する。物理キー部１２は、携帯電話１を操作するユーザの押下入力を検出する。
【００１５】
ディスプレイ１０は、液晶ディスプレイ、有機ＥＬディスプレイ、又は無機ＥＬディスプレイ等の表示デバイスである。ディスプレイ１０は、バックライト１１として用いる光源又は発光素子を備えてもよい。ディスプレイ１０は、携帯電話１を操作するユーザに、文字、記号、画像、操作用オブジェクト（アイコン）等の画像など、各種の情報を表示する。すなわち、本実施形態に係る携帯電話１において、ディスプレイ１０は、画面を表示する。
【００１６】
物理キー部１２は、センターキー（決定キー）２０、方向キー（カーソルキー）２２、メニューキー３２、メールキー３４、カメラキー３６、ウェブキー３８、通話開始キー４２、クリアキー４４、通話終了／電源キー４６、テンキー４８、及び３つのファンクションキー（第１機能キー５１，第２機能キー５２，及び第３機能キー５３）を含む。また、テンキー４８は、０から９までの数字キー及びその他の記号キーを含む。物理キー部１２を構成する各キーは、それぞれ、押しボタン式の自動復帰型スイッチなどで構成することができる。物理キー部１２を構成する各キーの機能は、一般的な携帯電話と同様にし得るため、より詳細な説明は省略する。また、図１においては、物理キー部１２を構成する各キーのキートップに刻印される文字又は記号などは、適宜、簡略化又は省略して示してある。
【００１７】
図２は、本発明の実施形態に係る携帯電話１の概略構成を示すブロック図である。
【００１８】
図２に示すように、携帯電話１は、機能的な観点からは、ディスプレイ１０と、物理キー部１２と、コントローラ６０と、を備えている。また、携帯電話１は、図１において説明したように、携帯電話としての機能を実現するため、スピーカ６と、マイク８と、を備えている。また、図２に示すように、携帯電話１は、メモリ７０と、無線通信部８０と、を備えている。上述したように、携帯電話１は、ディスプレイ１０を例えば背面から照明するバックライト１１を備えてもよい。さらに、携帯電話１は、例えば写真又は動画の撮影を可能にするためのカメラ９０などを、適宜備えることができる。
【００１９】
コントローラ６０は、携帯電話１の各機能ブロックをはじめとして、携帯電話１の全体を制御及び管理するプロセッサで構成することができる。コントローラ６０は、制御手順を規定したプログラムを実行するＣＰＵ等のプロセッサとすることができる。コントローラ６０が実行するプログラムは、例えばメモリ７０又は外部の記憶媒体等に格納される。
【００２０】
メモリ７０は、半導体メモリ等の記憶装置で構成することができ、各種情報や携帯電話１を動作させるためのプログラム等を記憶するとともに、ワークメモリとしても機能する。メモリ７０は、例えばＲＡＭ及びＲＯＭなどを含んで構成することができる。メモリ７０は、コントローラ６０に特定の機能を実行させる、例えば、アプリケーションに対応する特定のプログラム、並びに電子メールなどのテキストデータ、及び画像のデータなどを格納する。
【００２１】
無線通信部８０は、アンテナを介して例えば無線通信基地局などと無線通信することにより通信ネットワークに接続し、携帯電話１が通話及びデータ通信などを行うための機能を実現する。無線通信部８０は、通常のスマートフォン又はフィーチャーフォンが備える無線通信機能を実現する要素と同様に構成し得るため、より詳細な説明は省略する。
【００２２】
カメラ９０は、静止画又は動画を撮像することができるデジタルカメラの機能を実現する要素である。カメラ９０が撮像した静止画又は動画のデータは、例えばメモリ７０に保存することができる。カメラ９０は、通常のスマートフォン又はフィーチャーフォンが備えるカメラと同様に構成し得るため、より詳細な説明は省略する。
【００２３】
次に、本実施形態に係る携帯電話１の動作について説明する。
【００２４】
本実施形態に係る携帯電話１は、ロック状態と非ロック状態との切り換えを適切に行うことにより、使い勝手を向上させるものである。ここで、ロック状態とは、上述したように、ディスプレイ１０にロック画面が表示され、所定の操作以外の操作が無効化される状態とする。また、非ロック状態とは、上述したように、ロック状態におけるロックが解除された状態とする。
【００２５】
現在市販されているフィーチャーフォンにおいては、ＯＳ(Operating System)の仕様又は設定などにより、例えば電源投入時又は折りたたみ状態から開いた時などに、ロック画面を表示するものがある。このようなロック状態においては、所定の操作以外の操作が無効化されるため、セキュリティを高めたり、誤操作を防止したりする等のメリットがある。
【００２６】
図３は、携帯電話１の動作を説明するフローチャートである。また、図４は、携帯電話１のディスプレイ１０における画面の表示の例を示す図である。以下、一例として、ユーザが携帯電話１を用いて電子メールのテキストを作成している最中に着信があった場面を中心に説明する。
【００２７】
図３に示す動作が開始するのは、例えば、携帯電話１の電源オン時又は折りたたみ状態から開いた時など、ディスプレイ１０の画面がオフの状態から画面がオンの状態になる場面を想定している。ここで、画面が「オン」又は「オフ」とは、ディスプレイ１０における表示及びディスプレイ１０のバックライト１１の少なくとも一方をオン又はオフにする場合とすることができる。図４（Ａ）は、携帯電話１のディスプレイ１０の画面がオフの状態を示している。
【００２８】
このような状態から、図３に示す動作が開始して、携帯電話１のディスプレイ１０の画面がオンになると、携帯電話１のコントローラ６０は、ディスプレイ１０にロック画面を表示する（ステップＳ１１）。図４（Ｂ）は、携帯電話１のディスプレイ１０の画面がオフの状態から、画面をオンにしてロック画面を表示した例を示している。図４（Ｂ）に示すように、携帯電話１のロック画面においては、ユーザが入力する所定の数字等のパスコードを検出したりすることにより、ロック画面におけるロックを解除することができるようにしてもよい。
【００２９】
ステップＳ１１においてロック画面を表示したら、コントローラ６０は、ロック画面におけるロックが解除されたか否か判定する（ステップＳ１２）。ステップＳ１２においてロックが解除されない場合、コントローラ６０は、ステップＳ１１に戻ってロック画面を表示し、ロックの解除を待機する。一方、ステップＳ１２においてロックが解除された場合、コントローラ６０は、例えば図４（Ｃ）に示すようなホーム画面などをディスプレイ１０に表示することができる。
【００３０】
ステップＳ１２においてロックが解除されたら、コントローラ６０は、所定時間内にユーザによる操作が検出されたか否かを判定する（ステップＳ１３）。ステップＳ１３における「所定時間」とは、ユーザによる操作がない場合にロック画面の表示に戻るまでにカウントする時間として、例えば１０秒等の時間を適宜設定することができる。なお、この所定時間とは、ユーザによる操作が検出されるか否かを判定する時間とするだけでなく、例えば電話の着信等の所定のイベントが検出されるか否かを判定する時間としてもよい。
【００３１】
ステップＳ１３において所定時間内にユーザによる操作が検出されない場合、コントローラ６０は、ディスプレイ１０における画面をオフにする（ステップＳ１４）。ステップＳ１４において図４（Ａ）に示すように画面をオフにしたら、コントローラ６０は、次に画面がオンになる時に、ディスプレイ１０にロック画面を表示する（ステップＳ１５）。ステップＳ１５の処理の後、図３に示す処理は終了する。
【００３２】
本例においては、図４（Ｄ）に示すように、ユーザが携帯電話１にメールのテキストを入力する操作を行うことにより、所定時間内にユーザによる操作が検出される場合について説明する。ステップＳ１３において所定時間内にユーザによる操作が検出された場合、コントローラ６０は、携帯電話１による電話の通話が開始したか否かを判定する（ステップＳ１６）。ここで、携帯電話１による電話の通話が開始する場合とは、ユーザが他の操作を行っている最中に着信があり、この着信に応じて通話を開始した場合を想定している。例えば、図４（Ｄ）に示すようにユーザがメールのテキストを入力する操作を行っている最中に、図４（Ｅ）に示すように着信があり、この着信に応じて通話を開始すると、図４（Ｆ）に示すような通話中の旨を示す画面となる。また、携帯電話１による電話の通話が開始する場合とは、ユーザが自ら発信の操作を行って通話を開始する場合としてもよい。例えば、図４（Ｆ）に示すように、ユーザ自ら電話番号を入力したり、又は電話帳から相手の電話番号を選択したりして、通話を開始してもよい。また、携帯電話１による電話の通話が開始するトリガとしては、例えば通話開始キー４２に対する入力が検出されたこと、通話アプリケーションが起動したこと、通話のコネクションが確立したことなど、各種のトリガとすることができる。
【００３３】
ステップＳ１６において通話が開始していない場合、コントローラ６０は、ステップＳ１３に戻り、所定時間内にユーザによる操作が検出されたか否か判定する。一方、ステップＳ１６において通話が開始した場合、コントローラ６０は、上述した所定時間を経過しても、ディスプレイ１０にロック画面を表示しないようにする（ステップＳ１７）。すなわち、本実施形態に係る携帯電話１は、ロックが解除されて通話が開始したら、所定時間が経過した後に通話が終了しても、図４（Ｂ）に示すロック画面をディスプレイ１０に表示しないようにする。
【００３４】
本実施形態に係る携帯電話１は、通話開始前にメールのテキストを入力する操作を行う画面をディスプレイ１０に表示していた場合、ロック画面を表示せずに例えば図４（Ｄ）に示すメールのテキストを入力する操作を行う画面に戻るようにするのが好適である。このようにすれば、ユーザは、通話終了後、ロック画面においてロックを解除する手間なく、通話開始前に行っていたメールのテキストを入力する操作を続行することができる。ステップＳ１７における所定時間とは、ステップＳ１３と同様に、ユーザによる操作がない場合にロック画面の表示に戻るまでにカウントする時間とすることができる。
【００３５】
上述した例において、ステップＳ１３およびステップＳ１７における「所定時間」は、何も操作が行われない場合または所定のイベントが発生しない場合に、ロック画面を表示するまでにカウントする時間として説明した。本実施形態に係る携帯電話１は、この所定時間よりも長い例えば３０秒等の時間を設定し、この時間がカウントされるまで何も操作が行われない場合または所定のイベントが発生しない場合、画面をオフにするようにしてもよい。
【００３６】
以上説明したように、本実施形態に係る携帯電話１は、所定時間が経過するとディスプレイ１０にロック画面を表示する。一方、本実施形態に係る携帯電話１は、ロック画面においてロックが解除された状態で通話が開始したら、前記所定時間が経過しても、ディスプレイ１０にロック画面を表示しない。ここで、「ロック画面においてロックが解除された状態で通話が開始」するのは、ロック画面においてロックが解除された状態で着信が発生し、当該着信に応じた通話が開始する場合としてもよい。
【００３７】
また、本実施形態に係る携帯電話１は、前記所定時間が経過した時にディスプレイ１０の画面がオフになっている場合、ディスプレイ１０の画面がオンになる時にロック画面を表示してもよい。本実施形態に係る携帯電話１において、ディスプレイ１０の画面がオン又はオフになる時、ディスプレイ１０における表示及びディスプレイ１０のバックライト１１の少なくとも一方をオン又はオフにしてもよい。
【００３８】
このように、本実施形態に係る携帯電話１によれば、ユーザの意図しない場面でロック状態にならず、当該ロック状態をユーザが解除する手間は発生しない。このため、本実施形態に係る携帯電話１によれば、ロック状態と非ロック状態との切り換えが適切に行われ、携帯電話の使い勝手を向上することができる。
【００３９】
（第２実施形態）
次に、本発明の第２実施形態について説明する。本発明の第２実施形態においては、一例として、いわゆるスマートフォンタイプの携帯電話を想定して説明する。
【００４０】
図５は、本発明の第２実施形態に係る携帯電話の外観を示す図である。
【００４１】
図５に示すように、本実施形態に係るスマートフォンタイプの携帯電話２は、筐体１３と、ディスプレイ１０とを備えている。携帯電話２の外観構成についても、従来良く知られたスマートフォンタイプの携帯電話と同様の構成とすることができるため、より詳細な説明は省略する。
【００４２】
図５に示すように、携帯電話２は、筐体１３において、スピーカ６と、マイク８と、ディスプレイ１０とを備えている。本実施形態に係る携帯電話２においては、ディスプレイ１０は、その表面側に、ユーザのタッチ操作を検出するタッチセンサ１４を備えるようにするのが好適である。また、携帯電話２は、筐体１３において、一又は複数の物理キーで構成される物理キー部１２を備えている。スピーカ６、マイク８、及びディスプレイ１０は、上述した第１実施形態と同様に構成することができ、一般的な携帯電話に採用されるものと同様のものとし得るため、より詳細な説明は省略する。
【００４３】
タッチセンサ１４は、抵抗膜方式、静電容量方式、光学式などの種々の方式のものを採用することができる。スマートフォンタイプの携帯電話においては、例えばテンキーなどのキー又はアイコン等をオブジェクトとしてディスプレイ１０に表示して、当該オブジェクトに対して操作者が接触する操作を、タッチセンサ１４により検出することができる。タッチセンサ１４、及びタッチセンサ１４を備えたディスプレイ１０についても、従来良く知られたスマートフォンに採用されるものと同様に構成することができるため、より詳細な説明は省略する。
【００４４】
物理キー部１２は、携帯電話２を操作するユーザの押下入力を検出する。物理キー部１２は、一又は複数の任意の数のキーを含んで構成することができる。携帯電話２がタッチセンサ１４を備える場合には、例えば通話の時に用いるダイヤルキー（テンキー）などは、ディスプレイ１０に画像で表示したキーに対してユーザが接触する操作を、タッチセンサ１４で検出することができる。したがって、本実施形態に係る携帯電話２のようなスマートフォンにおいては、第１実施形態に係る携帯電話１の物理キー部１２を構成する各種キーよりも少数の物理キーとしてもよい。
【００４５】
図６は、本発明の実施形態に係る携帯電話２の概略構成を示すブロック図である。
【００４６】
図６に示すように、携帯電話２は、機能的な観点からは、ディスプレイ１０と、物理キー部１２と、タッチセンサ１４と、コントローラ６０とを備えている。また、携帯電話２は、図５において説明したように、携帯電話としての機能を実現するため、スピーカ６と、マイク８とを備えている。また、図６に示すように、携帯電話１は、メモリ７０と、無線通信部８０と、を備えている。携帯電話２は、ディスプレイ１０を例えば背面から照明するバックライト１１を備えてもよい。さらに、携帯電話１は、例えば写真又は動画の撮影を可能にするためのカメラ９０などを、適宜備えることができる。また、図６に示すように、携帯電話２は、近接センサ１６を備えてもよい。
【００４７】
コントローラ６０、メモリ７０、無線通信部８０、及びカメラ９０は、上述した第１実施形態と同様に構成することができ、一般的な携帯電話に採用されるものと同様のものとし得るため、より詳細な説明は省略する。
【００４８】
近接センサ１６は、携帯電話２の筐体表面などに物体が近付いたことを検出する。本実施形態に係る携帯電話２において、近接センサ１６は、例えばユーザが通話中などに携帯電話２の本体をユーザの耳に近づけたことを検出することができる。そして、本実施形態に係る携帯電話２は、近接センサ１６による検出に基づいて、例えば通話中に、ディスプレイ１０における画面のオフ及び／又はタッチセンサ１４の無効化などを行うことができる。すなわち、本実施形態に係る携帯電話２は、近接センサ１６が検出する近接の度合いに基づいて、ディスプレイ１０の画面をオン又はオフにしてもよい。
【００４９】
次に、本実施形態に係る携帯電話２の動作について説明する。
【００５０】
本実施形態に係る携帯電話２は、第１実施形態に係る携帯電話１と同様に、ロック状態と非ロック状態との切り換えを適切に行うことにより、使い勝手を向上させるものである。以下、上述した第１実施形態に係る携帯電話１と同様となる説明は、適宜、簡略化又は省略する。
【００５１】
現在市販されているスマートフォンにおいては、ＯＳ(Operating System)の仕様又は設定などにより、例えば電源投入時または画面をオンにする時などに、ロック画面を表示するものがある。また、このようなスマートフォンにおいて、ロックが解除されて非ロック状態になってから所定の時間が経過すると、バッテリに充電した電力の節約などの観点から、画面がオフになるものがある。ここでも、画面が「オン」又は「オフ」とは、ディスプレイ１０における表示及びディスプレイ１０のバックライト１１の少なくとも一方をオン又はオフにする場合とすることができる。
【００５２】
例えば、ロック状態が解除されて非ロック状態になってから、例えば１０秒等の所定の時間、ユーザの操作が何も行われない等、所定のイベントが発生しない場合、画面がオフになるものがある。このような仕様又は設定になっていると、所定時間後に画面がオフになった後でユーザが操作を続行したい場合、再び画面をオンにする必要がある。そこで、ユーザが画面をオンにすると、ロック画面が表示されるため、当該ロック状態を解除する余分な手間が発生し、ユーザにとってストレスの原因となる。
【００５３】
そこで、本実施形態においては、例えば１０秒等の所定の時間が経過して画面がオフになった後に画面がオンになっても、ロック状態に戻ることがユーザの意図しない場面であると想定される場合、ロック状態に戻らないように制御する。すなわち、本実施形態に係る携帯電話２は、ディスプレイ１０の画面がオフになった後にオンになると、ディスプレイ１０にロック画面を表示することを原則的な動作とする。一方、本実施形態に係る携帯電話１は、所定の例外的な場合には、ディスプレイ１０の画面がオフになった後にオンになっても、ディスプレイ１０にロック画面を表示しないように制御する。
【００５４】
図７は、携帯電話２の動作を説明するフローチャートである。以下、一例として、ユーザが携帯電話２を用いて電子メールのテキストを作成している最中に着信があった場面を中心に説明する。
【００５５】
図７に示す動作が開始するのは、例えば、携帯電話２の電源オン時又は画面オン時など、ディスプレイ１０の画面がオフの状態から画面がオンの状態になる場面を想定している。携帯電話２のようなスマートフォンにおいては、例えば物理キー部１２をユーザが押下する操作を検出することにより、画面がオフになっているスリープ状態から画面をオンにすることができる仕様になっているものが多い。図４（Ａ）は、携帯電話２のディスプレイ１０の画面がオフの状態を示している。
【００５６】
このような状態から、図７に示す動作が開始して、携帯電話２のディスプレイ１０の画面がオンになると、携帯電話２のコントローラ６０は、ディスプレイ１０にロック画面を表示する（ステップＳ２１）。図４（Ｂ）は、携帯電話２のディスプレイ１０の画面がオフの状態から、画面をオンにしてロック画面を表示した例を示している。図４（Ｂ）に示すように、携帯電話２のロック画面においては、所定の位置におけるユーザのスライド操作を検出したり、ユーザが入力する所定の数字等のパスコードを検出したりすることにより、ロックを解除できる仕様を採用するものが多い。
【００５７】
ステップＳ２１においてロック画面を表示したら、コントローラ６０は、ロック画面におけるロックが解除されたか否か判定する（ステップＳ２２）。ステップＳ２２においてロックが解除されない場合、コントローラ６０は、ステップＳ２１に戻ってロック画面を表示し、ロックの解除を待機する。一方、ステップＳ２２においてロックが解除された場合、コントローラ６０は、例えば図４（Ｃ）に示すようなホーム画面などをディスプレイ１０に表示することができる。
【００５８】
ステップＳ２２においてロックが解除されたら、コントローラ６０は、所定時間内にユーザによる操作が検出されたか否かを判定する（ステップＳ２３）。ステップＳ２３における「所定時間」とは、この時間が経過してもユーザによる操作がない場合に画面をオフにする時間として、例えば１０秒等の時間を適宜設定することができる。なお、この所定時間とは、ユーザによる操作が検出されるか否かを判定する時間とするだけでなく、例えば電話の着信等の所定のイベントが検出されるか否かを判定する時間としてもよい。
【００５９】
ステップＳ２３において所定時間内にユーザによる操作が検出されない場合、コントローラ６０は、ディスプレイ１０における画面をオフにする（ステップＳ２４）。この場合、携帯電話２のディスプレイ１０は、例えば図４（Ａ）に示すように、画面がオフの状態になる。ステップＳ２４において画面がオフになると、図７に示す処理は終了し、ユーザが再び画面をオンにすると、コントローラ６０は、図７に示す処理を再度開始する。すなわち、ステップＳ２４において画面がオフになると、ユーザが次に画面をオンにした時、ディスプレイ１０は、図４（Ｂ）に示すようなロック画面を表示する（ステップＳ２１）。
【００６０】
本例においては、図４（Ｄ）に示すように、ユーザが携帯電話２にメールのテキストを入力する操作を行うことにより、所定時間内にユーザによる操作が検出される場合について説明する。ステップＳ２３において所定時間内にユーザによる操作が検出された場合、コントローラ６０は、携帯電話２による電話の通話が開始したか否かを判定する（ステップＳ２５）。ここで、携帯電話２による電話の通話が開始する場合も、ユーザが他の操作を行っている最中に着信があり、この着信に応じて通話を開始した場合を含み、さらに、ユーザが自ら発信の操作を行って通話を開始する場合を含んでもよい。また、携帯電話２による電話の通話が開始するトリガとしては、例えばユーザによる通話開始の操作が検出されたこと、通話アプリケーションが起動したこと、通話のコネクションが確立したことなど、各種のトリガとすることができる。
【００６１】
ステップＳ２５において通話が開始していない場合、コントローラ６０は、ステップＳ２３に戻り、所定時間内にユーザによる操作が検出されたか否か判定する。一方、ステップＳ２５において通話が開始した場合、コントローラ６０は、通話中に画面がオフになったか否かを判定する（ステップＳ２６）。ステップＳ２６において通話中に画面がオフになる場合とは、例えば、上述したように、ユーザが通話中に携帯電話２を耳に近づけたことを近接センサ１６が検出し、コントローラ６０がディスプレイ１０における画面をオフする場合などが想定される。また、ステップＳ２６において通話中に画面がオフになる場合とは、例えば、通話中、所定時間内にユーザによる操作が検出されないため、コントローラ６０がディスプレイ１０における画面をオフする場合などが想定される。
【００６２】
ステップＳ２６において通話中に画面がオフになっていない場合、コントローラ６０は、ステップＳ２３に戻り、所定時間内にユーザによる操作が検出されたか否か判定する。一方、ステップＳ２６において通話中に画面がオフになった場合、コントローラ６０は、次に画面がオンになった時にディスプレイ１０にロック画面を表示しないようにする（ステップＳ２７）。すなわち、本実施形態に係る携帯電話２は、ロックが解除されて通話が開始したら、画面がオフになった後に画面がオンになっても、図４（Ｂ）に示すロック画面をディスプレイ１０に表示しないようにする。
【００６３】
ここで、画面がオンになるトリガは、例えば、ユーザが携帯電話２から耳を遠ざけたことを近接センサ１６が検出するなど、通話が終了したと判断できるタイミングとすることができる。その他、画面がオンになるトリガは、例えば、通話アプリケーションが動作終了したこと、通話のコネクションが切断したことなど、通話が終了したと考えられる各種のタイミングとすることもできる。また、画面がオンになるトリガは、例えば物理キー部１２又はタッチセンサ１４の所定位置などにユーザの操作が検出されたタイミングなどの各種のタイミングとすることもできる。
【００６４】
本実施形態に係る携帯電話２は、通話開始前にメールのテキストを入力する操作を行う画面をディスプレイ１０に表示していた場合、画面オン時に、例えば図４（Ｄ）に示すメールのテキストを入力する操作を行う画面に戻るようにするのが好適である。このようにすれば、ユーザは、通話終了後、ロック画面においてロックを解除する手間なく、通話開始前に行っていたメールのテキストを入力する操作を続行することができる。
【００６５】
以上説明したように、本実施形態に係る携帯電話２は、ディスプレイ１０の画面がオフになった後にディスプレイ１０の画面がオンになると、ディスプレイ１０にロック画面を表示する。一方、本実施形態に係る携帯電話２は、ロック画面においてロックが解除された状態で通話が開始し、通話中にディスプレイ１０の画面がオフになった後に、ディスプレイ１０の画面がオンになると、ディスプレイ１０にロック画面を表示しない。ここで、「ロック画面においてロックが解除された状態で通話が開始」するのは、ロック画面においてロックが解除された状態で着信が発生し、当該着信に応じた通話が開始する場合としてもよい。
【００６６】
本実施形態に係る携帯電話２においても、ディスプレイ１０の画面をオン又はオフにする時、ディスプレイ１０における表示及びディスプレイ１０のバックライト１１の少なくとも一方をオン又はオフにしてもよい。
【００６７】
このように、本実施形態に係る携帯電話２によれば、ユーザの意図しない場面でロック状態にならず、当該ロック状態をユーザが解除する手間は発生しない。このため、本実施形態に係る携帯電話２によれば、ロック状態と非ロック状態との切り換えが適切に行われ、携帯電話の使い勝手を向上することができる。
【００６８】
本発明を諸図面及び実施例に基づき説明してきたが、当業者であれば本開示に基づき種々の変形及び修正を行うことが容易であることに注意されたい。したがって、これらの変形及び修正は本発明の範囲に含まれることに留意されたい。例えば、各機能部、各手段、各ステップなどに含まれる機能などは論理的に矛盾しないように再配置可能であり、複数の機能部及びステップなどを１つに組み合わせたり、或いは分割したりすることが可能である。また、上述した本発明の各実施形態は、それぞれ説明した各実施形態に忠実に実施することに限定されるものではなく、適宜、各特徴を組み合わせたり、一部を省略したりして実施することもできる。
【符号の説明】
【００６９】
１，２  携帯電話
３  上部筐体
４  下部筐体
５  ヒンジ部
６  スピーカ
８  マイク
１０  ディスプレイ
１１  バックライト
１２  物理キー部
１３  筐体
１４  タッチセンサ
１６  近接センサ
２０  センターキー（決定キー）
２２  方向キー（カーソルキー）
３２  メニューキー
３４  メールキー
３６  カメラキー
３８  ウェブキー
４２  通話開始キー
４４  クリアキー
４６  電源／終了キー
４８  テンキー（ダイヤルキー）
５１，５２，５３  ファンクションキー
６０  コントローラ
７０  メモリ
８０  無線通信部
９０  カメラ
【図１】
2017139519.tif 000003
【図２】
2017139519.tif 000004
【図３】
2017139519.tif 000005
【図４】
2017139519.tif 000006
【図５】
2017139519.tif 000007
【図６】
2017139519.tif 000008
【図７】
2017139519.tif 000009
【手続補正書】
【提出日】平成28年7月6日(2016.7.6)
【手続補正１】
【補正対象書類名】特許請求の範囲
【補正対象項目名】全文
【補正方法】変更
【補正の内容】
【特許請求の範囲】
【請求項１】
画面を表示するディスプレイを備え、
所定時間が経過すると前記ディスプレイにロック画面を表示する携帯電話であって、
前記ロック画面においてロックが解除された状態で通話が開始したら、前記所定時間が経過しても、前記ディスプレイにロック画面を表示しない、携帯電話。
【請求項２】
前記ロック画面においてロックが解除された状態で着信が発生し、当該着信に応じた通話が開始したら、前記所定時間が経過しても、前記ディスプレイにロック画面を表示しない、請求項１に記載の携帯電話。
【請求項３】
前記所定時間が経過した時に前記ディスプレイの画面がオフになっている場合、当該ディスプレイの画面がオンになる時にロック画面を表示する、請求項１又は２に記載の携帯電話。
【請求項４】
画面を表示するディスプレイを備え、
前記ディスプレイの画面がオフになった後に当該ディスプレイの画面がオンになると、前記ディスプレイにロック画面を表示する携帯電話であって、
前記ロック画面においてロックが解除された状態で通話が開始し、当該通話中に前記ディスプレイの画面がオフになった後に、当該通話が終了して当該ディスプレイの画面がオンになっても、前記ディスプレイにロック画面を表示しない、携帯電話。
【請求項５】
前記ロック画面においてロックが解除された状態で着信が発生し、当該着信に応じた通話が開始し、当該通話中に前記ディスプレイの画面がオフになった後に、当該通話が終了して当該ディスプレイの画面がオンになっても、前記ディスプレイにロック画面を表示しない、請求項４に記載の携帯電話。
【請求項６】
近接センサを備え、
前記近接センサが検出する近接の度合いに基づいて、前記ディスプレイの画面をオン又はオフにする、請求項４又は５に記載の携帯電話。
【請求項７】
前記ディスプレイの画面がオン又はオフになる時、前記ディスプレイにおける表示及び前記ディスプレイのバックライトの少なくとも一方をオン又はオフにする、請求項２から６のいずれかに記載の携帯電話。
【手続補正２】
【補正対象書類名】明細書
【補正対象項目名】０００７
【補正方法】変更
【補正の内容】
【０００７】
また、本発明に係る携帯電話は、
画面を表示するディスプレイを備え、
前記ディスプレイの画面がオフになった後に当該ディスプレイの画面がオンになると、前記ディスプレイにロック画面を表示する携帯電話であって、
前記ロック画面においてロックが解除された状態で通話が開始し、当該通話中に前記ディスプレイの画面がオフになった後に、当該通話が終了して当該ディスプレイの画面がオンになっても、前記ディスプレイにロック画面を表示しないことを特徴とする。
【手続補正書】
【提出日】平成28年12月26日(2016.12.26)
【手続補正１】
【補正対象書類名】特許請求の範囲
【補正対象項目名】全文
【補正方法】変更
【補正の内容】
【特許請求の範囲】
【請求項１】
画面を表示するディスプレイを備え、
設定時間が経過すると前記ディスプレイにロック画面を表示する携帯電話であって、
前記ロック画面においてロックが解除された状態で通話が開始したら、前記設定時間が経過しても、前記ディスプレイにロック画面を表示しない、携帯電話。
【請求項２】
前記ロック画面においてロックが解除された状態で着信が発生し、当該着信に応じた通話が開始したら、前記設定時間が経過しても、前記ディスプレイにロック画面を表示しない、請求項１に記載の携帯電話。
【請求項３】
前記設定時間が経過した時に前記ディスプレイの画面がオフになっている場合、当該ディスプレイの画面がオンになる時にロック画面を表示する、請求項１又は２に記載の携帯電話。
【請求項４】
画面を表示するディスプレイを備え、
前記ディスプレイの画面がオフになった後に当該ディスプレイの画面がオンになると、前記ディスプレイにロック画面を表示する携帯電話であって、
前記ロック画面においてロックが解除された状態で通話が開始した場合は、当該通話中に前記ディスプレイの画面がオフになった後に、当該通話が終了して当該ディスプレイの画面がオンになっても、前記ディスプレイにロック画面を表示しない、携帯電話。
【請求項５】
前記ロック画面においてロックが解除された状態で着信が発生し、当該着信に応じた通話が開始した場合は、当該通話中に前記ディスプレイの画面がオフになった後に、当該通話が終了して当該ディスプレイの画面がオンになっても、前記ディスプレイにロック画面を表示しない、請求項４に記載の携帯電話。
【請求項６】
近接センサを備え、
前記近接センサが検出する近接の度合いに基づいて、前記ディスプレイの画面をオン又はオフにする、請求項４又は５に記載の携帯電話。
【請求項７】
前記ディスプレイの画面がオン又はオフになる時、前記ディスプレイにおける表示及び前記ディスプレイのバックライトの少なくとも一方をオン又はオフにする、請求項２から６のいずれかに記載の携帯電話。
【手続補正２】
【補正対象書類名】明細書
【補正対象項目名】０００６
【補正方法】変更
【補正の内容】
【０００６】
本発明に係る携帯電話は、
画面を表示するディスプレイを備え、
設定時間が経過すると前記ディスプレイにロック画面を表示する携帯電話であって、
前記ロック画面においてロックが解除された状態で通話が開始したら、前記設定時間が経過しても、前記ディスプレイにロック画面を表示しないことを特徴とする。
【手続補正３】
【補正対象書類名】明細書
【補正対象項目名】０００７
【補正方法】変更
【補正の内容】
【０００７】
また、本発明に係る携帯電話は、
画面を表示するディスプレイを備え、
前記ディスプレイの画面がオフになった後に当該ディスプレイの画面がオンになると、前記ディスプレイにロック画面を表示する携帯電話であって、
前記ロック画面においてロックが解除された状態で通話が開始した場合は、当該通話中に前記ディスプレイの画面がオフになった後に、当該通話が終了して当該ディスプレイの画面がオンになっても、前記ディスプレイにロック画面を表示しないことを特徴とする。